(57)【特許請求の範囲】
【請求項１】
換気を必要とする運転処理を実行する外部機器との間で通信する通信処理部、及び、換気作動を行う換気作動部の運転を制御する換気制御部が設けられ、
前記換気制御部が、前記通信処理部が受信する前記外部機器からの換気運転に関する換気運転用指令情報に基づいて、前記換気作動部の換気作動を制御するように構成された換気装置を備えた換気システムであって、
前記外部機器からのリセット指令により前記換気制御部をリセットするためのリセット処理を実行するリセット処理部が、前記換気装置に設けられ、
前記換気制御部が、前記外部機器からの前記換気運転用指令情報に対する応答情報を前記通信処理部から前記外部機器に通信するように構成され、
前記外部機器が、前記換気運転用指令情報の通信に対する前記応答情報を設定適正状態にて受信できないときには、前記換気装置の異常であるとして、前記リセット指令を指令するように構成され、
前記換気作動部が作動することにより出力した実換気出力を検出する換気出力検出手段が、前記換気装置に装備され、
前記換気制御部が、前記換気出力検出手段が検出した実換気出力を前記通信処理部から前記外部機器側に通信するように構成され、
前記外部機器が、前記通信処理部から通信されてくる前記実換気出力に基づいて、前記換気装置が正常であるか否かを判別して、異常であると判別したときには、前記リセット指令を指令するように構成されている換気システム。
【請求項２】
前記リセット処理部が、前記通信処理部が受信した前記外部機器からの送信信号の信号形態がリセット要求用信号形態になると、前記外部機器からのリセット指令であるとして前記リセット処理を実行するように構成されている請求項１記載の換気システム。
【請求項３】
前記リセット要求用信号形態が、搬送波の連続存在時間を、通常通信用の搬送波連続存在時間よりも増大させた状態で、前記搬送波を出力する形態である請求項２記載の換気システム。
【請求項４】
前記リセット要求用信号形態が、搬送波の周波数を、通常通信用の周波数とは異なる周波数に変更した状態で、前記搬送波を出力する形態である請求項２記載の換気システム。
【請求項５】
前記通信処理部が、無線通信式に構成され、
前記リセット処理部が、有線にて通信されてくる前記リセット指令を受信するように構成されている請求項１記載の換気システム。
【請求項６】
前記リセット処理部が、前記換気制御部に対する電力供給を所定時間の間遮断するように構成されている請求項１〜５のいずれか1項に記載の換気システム。
【請求項７】
前記リセット処理部が、前記換気制御部のリセット用入力端子にリセット信号を出力するように構成されている請求項１〜５のいずれか１項に記載の換気システム。
【請求項８】
前記外部機器が、前記換気装置が出力すべき目標換気出力を前記換気装置に指令するように構成され、
前記換気制御部が、前記換気作動部が前記目標換気出力を出力するように、前記換気作動部の作動を制御するように構成され、
前記外部機器が、前記通信処理部から通信されてくる前記実換気出力が前記目標換気出力よりも設定値以上低いときには、前記換気装置が異常であると判別するように構成されている請求項１〜７のいずれか１項に記載の換気システム。
【請求項９】
前記外部機器が、前記通信処理部から通信されてくる前記実換気出力が前記目標換気出力よりも低いものの、前記設定値以上低くないときには、前記実換気出力に見合った能力にて作動するように構成されている請求項８記載の換気システム。
【発明の詳細な説明】
【技術分野】
【０００１】
本発明は、換気を必要とする運転処理を実行する外部機器との間で通信する通信処理部、及び、換気作動を行う換気作動部の運転を制御する換気制御部が設けられ、前記換気制御部が、前記通信処理部が受信する前記外部機器からの換気運転に関する換気運転用指令情報に基づいて、前記換気作動部の換気作動を制御するように構成された換気装置、及び、その換気装置を備えた換気システムに関する。
【背景技術】
【０００２】
かかる換気装置、及び、換気システムは、コンロや湯沸し器等の外部機器から通信される換気運転に関する換気運転用指令情報に基づいて、換気作動部の運転開始や運転停止等の換気作動を制御することによって、換気作動部を外部機器の運転処理に連動して作動させることができるようにしたものである（例えば、特許文献１参照。）。
【０００３】
特許文献１においては、外部機器としてのガスコンロが、コンロバーナやグリルバーナを作動させたときや、そのガスコンロに下部に装備したガスオーブンの排気温度が高温になったときに、換気運転用指令情報として、換気開始指令を指令し、また、コンロバーナやグリルバーナを作動させていないときや、そのガスコンロに下部に装備したガスオーブンの排気温度が低温であるときは、換気運転用指令情報として、換気停止指令を指令するように構成され、しかも、コンロバーナの燃焼量等に基づいて、換気装置が出力すべき目標換気出力（目標換気量）を求めて、その目標換気出力を、換気装置に指令するように構成され、そして、換気装置の換気制御部が、指令された目標換気出力（目標換気量）にて換気作動部を作動させるべく、換気作動部の換気作動を制御するように構成されている。
【０００４】
ちなみに、特許文献１には記載されていないが、一般には、外部機器が換気開始指令を指令したときには、換気装置の換気制御部は、その換気開始指令を受信したことを示す信号や、その換気開始指令に基づいて換気作動部を作動させたことを示す信号を、応答信号として、外部機器に通信することになり、外部機器は、応答信号を設定適正状態で受信したときには、運転処理を所定通り実行することになるものの、応答信号を設定適正状態で受信できないときには、異常であるとして、運転処理を実行しないことになる。
【先行技術文献】
【特許文献】
【０００５】
【特許文献１】特開２００８−１２８４９５号公報
【発明の概要】
【発明が解決しようとする課題】
【０００６】
換気装置の換気制御部は、一般に、マイクロコンピュータを用いて構成されることになり、そして、マイクロコンピュータは、諸々の原因にて、フリーズ等の動作不良を起こすことがある。
このような動作不良を起こした場合には、電力の供給を一旦遮断することにより、動作不良が解消することが多い。
ちなみに、換気制御部には、一般に、リセット用入力端子が備えられており、上述の動作不良を起こした場合には、このリセット用入力端子にリセット信号を入力することによっても、動作不良が解消することが多い。
【０００７】
従来の換気装置、及び、換気システムでは、換気装置の換気制御部が動作不良を起こすと、換気開始指令を指令しても、応答信号を設定適正状態で受信できないため、異常であるとして、運転処理を実行しないことになる。
【０００８】
このような場合には、外部機器の使用者は、メンテナンスコールを行って、サービス作業者によって動作不良を解消してもらうことになる。
ちなみに、外部機器の使用者が、換気制御部に対する電力の供給を一旦遮断することにより、動作不良が解消する可能性があることを理解している場合があり、このような場合には、外部機器の使用者が電力の供給を断続する操作を行って、動作不良を解消することもある。
【０００９】
上述の如く、メンテナンスコールを行って、動作不良を解消する場合には、メンテナンスコールを行う面倒があるばかりでなく、サービス作業者によって動作不良が解消するまでの長時間の間、外部機器を使用できない不便を招く不都合がある。
また、外部機器の使用者が電力の供給を断続する操作を行って、動作不良を解消する場合には、長時間の間、外部機器を使用できない不便はないものの、電力の供給を断続する操作を行わなければならない面倒がある。
【００１０】
本発明は、上記実情に鑑みて為されたものであって、その目的は、換気制御部の動作不良を自動的に解消できる換気装置、及び、その換気装置を備えた換気システムを提供する点にある。
【課題を解決するための手段】
【００１１】
本発明の第１特徴構成は、換気を必要とする運転処理を実行する外部機器との間で通信する通信処理部、及び、換気作動を行う換気作動部の運転を制御する換気制御部が設けられ、
前記換気制御部が、前記通信処理部が受信する前記外部機器からの換気運転に関する換気運転用指令情報に基づいて、前記換気作動部の換気作動を制御するように構成された換気装置を備えた換気システムであって、
前記外部機器からのリセット指令により前記換気制御部をリセットするためのリセット処理を実行するリセット処理部が、前記換気装置に設けられ、
前記換気制御部が、前記外部機器からの前記換気運転用指令情報に対する応答情報を前記通信処理部から前記外部機器に通信するように構成され、
前記外部機器が、前記換気運転用指令情報の通信に対する前記応答情報を設定適正状態にて受信できないときには、前記換気装置の異常であるとして、前記リセット指令を指令するように構成され、
前記換気作動部が作動することにより出力した実換気出力を検出する換気出力検出手段が、前記換気装置に装備され、
前記換気制御部が、前記換気出力検出手段が検出した実換気出力を前記通信処理部から前記外部機器側に通信するように構成され、
前記外部機器が、前記通信処理部から通信されてくる前記実換気出力に基づいて、前記換気装置が正常であるか否かを判別して、異常であると判別したときには、前記リセット指令を指令するように構成されている点を特徴とする。
【００１２】
すなわち、外部機器からリセット指令が指令されると、リセット処理部が換気制御部をリセットするためのリセット処理を実行することになり、フリーズ等の動作不良を起こしている換気制御部の動作不良を解消できる。
【００１３】
したがって、換気開始指令を指令したときに、応答信号を設定適正状態で受信できないときには、リセット指令を指令するように外部機器を構成しておけば、換気制御部の動作不良を自動的に解消することが可能となるのである。
つまり、換気制御部の動作不良が、リセット処理にて解消する場合であれば、その換気制御部の動作不良を自動的に解消できるのである。
【００１４】
要するに、本発明の第１特徴構成によれば、換気制御部の動作不良を自動的に解消できる換気装置を備えた換気システムを提供できる。
また、第１特徴構成によれば、外部機器からの換気運転用指令情報に対する応答情報が、換気装置の通信処理部から外部機器に通信されることになる。そして、外部機器が、その応答情報を設定適正状態で受信できないときには、換気装置の異常であるとして、リセット指令を指令することになる。
ちなみに、換気装置のリセット処理部が、リセット指令を指令されると、換気制御部をリセットするためのリセット処理を実行し、その結果、フリーズ等の動作不良を起こしている換気制御部の動作不良を解消できることは、上述の通りである。
このように、換気装置と外部機器との間において、本来的に行う通信の状況に基づいて換気装置の異常を判断して、リセット指令を指令するものであるから、換気装置の異常発生を、本来的に備える構成及び機能を有効利用した簡素な構成によって検出して、リセット指令を指令できるものとなる。
要するに、本発明の第１特徴構成によれば、換気装置の異常発生を簡素な構成によって検出して、リセット指令を指令できる換気システムを提供できる。
また、第１特徴構成によれば、換気装置の換気出力検出手段が検出した実換気出力が、換気装置の通信処理部から外部機器に通信されることになる。そして、外部機器が、その実換気出力に基づいて換気装置が正常であるか否かを判別して、異常であると判別したときに、リセット指令を指令することになる。
つまり、換気装置の通信処理部から外部機器に通信される実換気出力が、極端に低い場合等においては、換気制御部による換気作動部に対する制御が適正に行われていない異常状態であると判別でき、このような場合には、外部機器がリセット指令を指令することになるのである。
ちなみに、換気装置のリセット処理部が、リセット指令を指令されると、換気制御部をリセットするためのリセット処理を実行し、その結果、フリーズ等の動作不良を起こしている換気制御部の動作不良を解消できることは、上述の通りである。
このように、換気装置の実換気出力に基づいて、換気装置の異常を判別して、リセット指令を指令するものであるから、換気制御部による換気作動部の制御が適正に行われないことにより、換気装置の実換気出力が極端に不足している場合等において、換気制御部をリセット処理して、換気制御部の動作不良を解消することが可能となるのである。
つまり、換気装置の実換気出力が極端に不足している場合等において、換気出力が不足した状態のままで、外部機器の運転処理を継続することを回避して、換気装置の実換気出力を必要とする換気出力にした状態で、外部機器の運転処理を実行させることができるのである。
要するに、本発明の第１特徴構成によれば、上記した作用効果に加えて、換気出力が不足した状態のままで、外部機器の運転処理を継続することを回避できる換気システムを提供できる。
【００１５】
本発明の第２特徴構成は、上記した第１特徴構成に加えて、
前記リセット処理部が、前記通信処理部が受信した前記外部機器からの送信信号の信号形態がリセット要求用信号形態になると、前記外部機器からのリセット指令であるとして前記リセット処理を実行するように構成されている点を特徴とする。
【００１６】
すなわち、通信処理部が受信した外部機器からの送信信号の信号信形態がリセット要求用信号形態になると、外部機器からのリセット指令であるとして、リセット処理部がリセット処理を実行することになる。
【００１７】
このように、通信処理部が受信した外部機器からの送信信号の信号形態がリセット要求用信号形態になると、外部機器からのリセット指令であるとするものであるから、換気運転に関する換気運転用指令情報の通信のために備えられている通信処理部の通信機能を有効利用した簡素な構成にて、外部機器からリセット指令を指令することが可能となる。
【００１８】
要するに、本発明の第２特徴構成によれば、上記した第１特徴構成による作用効果に加えて、簡素な構成にて、外部機器からリセット指令を指令することが可能となる換気装置を備えた換気システムを提供できる。
【００１９】
本発明の第３特徴構成は、上記した第２特徴構成に加えて、
前記リセット要求用信号形態が、搬送波の連続存在時間を、通常通信用の搬送波連続存在時間よりも増大させた状態で、前記搬送波を出力する形態である点を特徴とする。
【００２０】
すなわち、換気運転に関する換気運転用指令情報の通信が、通信すべき情報に応じて搬送波を変調させることによって行われることになる。具体的には、搬送波を断続させることによって、通信すべき情報に応じたコードを作成する形態で行なわれることになる。
そして、リセット要求用信号形態が、搬送波の連続存在時間を、通常通信用の搬送波連続存在時間よりも増大させた状態で、搬送波を出力する形態に定められているから、搬送波の連続存在時間が、通常通信用の搬送波連続存在時間よりも増大すると、外部機器からのリセット指令であるとして、リセット処理部がリセット処理を実行することになる。
【００２１】
このように、搬送波の連続存在時間を、通常通信用の搬送波連続存在時間よりも増大させることによって、外部機器からのリセット指令を指令するものであるから、通信処理部の構成を極力有効利用した簡素な構成にて、外部機器からリセット指令を指令することが可能となる。
つまり、通信処理部には、搬送波を識別するためのフィルタ回路を備えさせることになるが、外部機器からリセット指令を指令するときにも、その搬送波を識別するフィルタ回路を通して受信された搬送波の情報に基づいて、リセット指令を判別することができるものとなるため、通信処理部の構成を極力有効利用した簡素な構成にて、外部機器からリセット指令を指令することが可能となるのである。
【００２２】
要するに、本発明の第３特徴構成によれば、上記した第２特徴構成による作用効果に加えて、通信処理部の構成を極力有効利用した簡素な構成にて、外部機器からリセット指令を指令することが可能となる換気装置を備えた換気システムを提供できる。
【００２３】
本発明の第４特徴構成は、上記第２特徴構成に加えて、
前記リセット要求用信号形態が、搬送波の周波数を、通常通信用の周波数とは異なる周波数に変更した状態で、前記搬送波を出力する形態である点を特徴とする。
【００２４】
すなわち、換気運転に関する換気運転用指令情報の通信が、通信すべき情報に応じて搬送波を変調させることによって行われることになる。具体的には、搬送波を変調して、通信すべき情報に応じたコードを作成する形態で行なわれることになる。
そして、リセット要求用信号形態が、搬送波の周波数を、通常通信用の周波数とは異なる周波数に変更した状態で、前記搬送波を出力する形態に定められているから、通常通信用の周波数とは異なる周波数の搬送波を受信すると、外部機器からのリセット指令であるとして、リセット処理部がリセット処理を実行することになる。
【００２５】
このように、通常通信用の周波数とは異なる周波数の搬送波を用いてリセット指令を指令するものであるから、換気運転に関する換気運転用指令情報を通信することと、リセット指令を通信することとを、切り離すことができるため、通常通信用の周波数とは異なる周波数の搬送波にてリセット指令を指令するための通信フォーマットを定義する際に、その搬送波を出力する時間等の取り決めを自由に行え、しかも、その取り決めは、換気運転に関する換気運転用指令情報を通信する場合のように、緻密に決める必要がないものとなり、リセット処理部の設計や製作が行い易いものとなる。
【００２６】
要するに、本発明の第４特徴構成によれば、上記した第２特徴構成による作用効果に加えて、リセット処理部の設計や製作が行い易いものとなる換気装置を備えた換気システムを提供できる。
【００２７】
本発明の第５特徴構成は、上記第１特徴構成に加えて、
前記通信処理部が、無線通信式に構成され、
前記リセット処理部が、有線にて通信されてくる前記リセット指令を受信するように構成されている点を特徴とする。
【００２８】
すなわち、通信処理部が、赤外線等を用いた無線通信式にて、換気運転に関する換気運転用指令情報を受信することになり、リセット処理部が、有線にて通信されてくるリセット指令を受信して、リセット処理を実行することになる。
【００２９】
このように、有線を用いてリセット処理部にリセット指令を通信するものであるから、リセット指令を外乱等の影響を受け難い状態で、適切にリセット処理部に通信することが可能となるため、リセット処理部によるリセット処理を的確に行わせ易いものとなる。
【００３０】
要するに、本発明の第５特徴構成によれば、上記した第１特徴構成による作用効果に加えて、リセット指令をリセット処理部に的確に通信して、リセット処理部によるリセット処理を的確に行わせることができる換気装置を備えた換気システムを提供できる。
【００３１】
本発明の第６特徴構成は、上記第１〜第５特徴構成のいずれかに加えて、
前記リセット処理部が、前記換気制御部に対する電力供給を所定時間の間遮断するように構成されている点を特徴とする。
【００３２】
すなわち、リセット処理部が、リセット指令を指令されると、リセット処理として、換気制御部に対する電力供給を所定時間の間遮断することになる。
換気制御部は、電力供給が遮断されたのち、再び電力が供給されることにより、初期化の処理を実行して立ち上がりことになるため、フリーズ等の動作不良が発生しているときにも、その動作不良が解消することなる。
【００３３】
このように、換気制御部に対する電力供給を所定時間の間遮断することにより、換気制御部をリセットするものであるから、換気制御部にリセットのための特別な構成を備えさせない場合においても、換気制御部の動作不良を解消することが可能となる。
【００３４】
要するに、本発明の第６特徴構成によれば、上記した第１〜第５特徴構成による作用効果のいずれかに加えて、換気制御部にリセットのための特別な構成を備えさせない場合においても、換気制御部の動作不良を解消することが可能となる換気装置を備えた換気システムを提供できる。
【００３５】
本発明の第７特徴構成は、上記第１〜第５特徴構成のいずれかに加えて、
前記リセット処理部が、前記換気制御部のリセット用入力端子にリセット信号を出力するように構成されている点を特徴とする。
【００３６】
すなわち、リセット処理部が、リセット指令を指令されると、リセット処理として、換気制御部のリセット用入力端子にリセット信号を出力することになる。
換気制御部は、リセット用入力端子にリセット信号が入力されと、今までの処理を中断して、初期化の処理を実行して立ち上がりことになるため、フリーズ等の動作不良が発生しているときにも、その動作不良が解消することなる。
【００３７】
このように、換気制御部のリセット用入力端子にリセット信号を出力して、換気制御部をリセットするものであるから、リセット処理部を、リセット指令が指令されると、単にリセット信号を出力するだけの簡素な構成にすることが可能なる。
【００３８】
要するに、本発明の第７特徴構成によれば、上記した第１〜第５特徴構成による作用効果に加えて、リセット処理部の構成の簡素化を図ることができる換気装置を備えた換気システムを提供できる。
【００４７】
本発明の第８特徴構成は、上記第１〜第７特徴構成のいずれかに加えて、
前記外部機器が、前記換気装置が出力すべき目標換気出力を前記換気装置に指令するように構成され、
前記換気制御部が、前記換気作動部が前記目標換気出力を出力するように、前記換気作動部の作動を制御するように構成され、
前記外部機器が、前記通信処理部から通信されてくる前記実換気出力が前記目標換気出力よりも設定値以上低いときには、前記換気装置が異常であると判別するように構成されている点を特徴とする。
【００４８】
すなわち、換気制御部が、外部機器から指令された目標換気出力を換気作動部にて出力させるように、換気作動部の作動を制御することになり、さらに、換気出力検出手段が検出した実換気出力を、通信処理部から外部機器に通信することになる。
尚、外部機器は、その運転状況に等に基づいて、目標換気出力を求めることになる。
【００４９】
そして、外部機器が、換気装置の通信処理部から通信されてくる実換気出力が目標換気出力よりも設定値以上低いときには、換気装置が異常であると判別して、リセット指令を指令することになる。
つまり、換気装置の通信処理部から外部機器に通信される実換気出力が、目標換気出力よりも設定値以上低いときには、換気制御部による換気作動部に対する制御が適正に行われていない異常状態であると判別でき、このような場合には、外部機器がリセット指令を指令することになるのである。
尚、換気装置のリセット処理部が、リセット指令を指令されると、換気制御部をリセットするためのリセット処理を実行し、その結果、フリーズ等の動作不良を起こしている換気制御部の動作不良を解消できることは、上述の通りである。
【００５０】
このように、換気装置の実換気出力が目標換気出力よりも設定値以上低いときには、換気装置の異常であると判別して、リセット指令を指令するものであるから、換気制御部による換気作動部の制御が適正に行われないことにより、換気装置の実換気出力が目標換気出力よりも不足していることを的確に検出して、換気制御部をリセット処理できることになるのである。
つまり、換気装置の実換気出力と目標換気出力とを対比することによって、換気装置の異常を的確に検出しながら、換気制御部をリセット処理して、換気制御部の動作不良を解消できるのである。
【００５１】
要するに、本発明の第８特徴構成によれば、上記した第１〜第７特徴構成のいずれかによる作用効果に加えて、換気装置の異常を的確に検出して、その異常を解消できる換気システムを提供できる。
【００５２】
本発明の第９特徴構成は、上記第８特徴構成に加えて、
前記外部機器が、前記通信処理部から通信されてくる前記実換気出力が前記目標換気出力よりも低いものの、前記設定値以上低くないときには、前記実換気出力に見合った能力にて作動するように構成されている点を特徴とする。
【００５３】
すなわち、換気装置の通信処理部から通信されてくる実換気出力が目標換気出力よりも低いものの、設定値以上低くないときには、外部機器は、実換気出力に見合った能力にて作動することになる。
つまり、換気装置の通信処理部から通信されてくる実換気出力が目標換気出力よりも低いものの、設定値以上低くないときとは、換気装置の換気出力が目標換気出力よりも低いものの、外部機器の運転処理を継続できる換気出力を換気装置が出力している状態であるため、外部機器の運転処理を継続させるのである。
【００５４】
そして、外部機器の運転処理を継続させるにあたって、実換気出力が目標換気出力よりも低いものであるから、実換気出力に見合った能力にて外部機器を作動させるのである。
例えば、外部機器がガスコンロである場合においては、目標換気出力は、ガスコンロの燃焼量の総和に応じて増減することになるが、実換気出力が目標換気出力よりも低いものであるから、燃焼量の総和を、実換気出力に見合った燃焼量に制限することになる。
【００５５】
このように、換気装置の通信処理部から通信されてくる実換気出力が目標換気出力よりも低いものの、設定値以上低くないときには、外部機器を、実換気出力に見合った能力にて作動させるようにして、外部機器の運転処理を継続させるものであるから、外部機器の運転処理を停止させることを極力回避して、外部機器の運転処理をできるだけ継続させることができるのである。
【００５６】
要するに、本発明の第９特徴構成によれば、上記した第８特徴構成による作用効果に加えて、外部機器の運転処理を停止させることを極力回避できる換気システムを提供できる。
【図面の簡単な説明】
【００５７】
【図１】換気システムの正面図
【図２】同システムの側面図
【図３】コンロの斜視図
【図４】コンロの制御構成を示すブロック図
【図５】通信データの構成を示す図
【図６】通信データの構成部分を示す図
【図７】換気装置の制御構成を示すブロック図
【図８】リセット指令判定回路の作動を示す図
【図９】第１実施形態の制御作動を示すフローチャート
【図１０】第１実施形態の制御作動を示すフローチャート
【図１１】第１実施形態の制御作動を示すフローチャート
【図１２】第１実施形態の制御作動を示すフローチャート
【図１３】第１実施形態の制御作動を示すフローチャート
【図１４】第１実施形態の制御作動を示すフローチャート
【図１５】第１実施形態の制御作動を示すフローチャート
【図１６】第１実施形態の制御作動を示すフローチャート
【図１７】第２実施形態の換気装置の制御構成を示すブロック図
【図１８】第２実施形態のリセット指令判定回路の作動を示す図
【図１９】第３実施形態の換気装置の制御構成を示すブロック図
【図２０】第４実施形態の換気装置の制御構成を示すブロック図
【発明を実施するための形態】
【００５８】
〔第１実施形態〕
以下、図面に基づいて、本発明の実施の形態を説明する。
【００５９】
図１及び図２に示すように、台所におけるキッチンカウンターＫに埋め込まれる状態で加熱調理器の一例としてのビルトイン形式のガスコンロＡが設けられ、そのガスコンロＡの下方に位置する状態でビルトイン形式のガスオーブンＢが設けられ、そして、ガスコンロＡの上方側に位置するレンジフードＣに、ガスコンロＡ及びガスオーブンＢにて発生する調理排気を外部に排出して換気を行う換気装置Ｄが設けられて、換気システムが構成されている。
【００６０】
図３に示すように、ガスコンロＡは、３つのコンロバーナ１を備え、また、グリルバーナ２（図４参照）を装備したグリル部３を備えている。
また、ガスコンロＡの上部の背部側箇所には、グリル部３及びガスオーブンＢにて発生した調理排気を排気するための排気用開口部４が形成されている。
【００６１】
３つのコンロバーナ１は、図３に示すように、３角形の各角部に位置する状態に分散配置される標準バーナ１ａ、小火力バーナ１ｂ、及び、高火力バーナ１ｃであり、ガスコンロＡの上部を覆うガラス製の天板５の上部には、標準バーナ１ａ、小火力バーナ１ｂ及び高火力バーナ１ｃの夫々に対応して被加熱物を載置する五徳６が載置支持されている。
グリルバーナ２は、図４に示すように、上部バーナ２Ｕと、左右の下部バーナ２Ｌ、２Ｒとから構成されている。
【００６２】
図４に示すように、３つのコンロバーナ１及び３つのグリルバーナ２の夫々に対して、点火用の点火プラグ７、バーナへの着火状態を検出する着火検出センサ８、及び、ガス供給量を変更調整するガス量調整弁９が設けられている。
また、３つのコンロバーナ１の夫々には、鍋等の調理容器の存否を検出し且つ調理容器の温度を検出する容器存否検出センサＮが装備され、ガス量調整弁９の夫々には、その調整位置を検出する位置センサＳが装備されている。
尚、図中、Ｖは、３つのコンロバーナ１及び３つのグリルバーナ２のいずれかを燃焼させるときには開き、それらバーナ１、２の全ての燃焼を停止させる際には閉じる元ガス弁であり、また、Ｇは、グリルバーナ２に供給するガス圧力を設定圧力に調整するガバナである。
【００６３】
図４に示すように、３つのコンロバーナ１及びグリルバーナ２の夫々に対応して、点火並びに消火を指令し、且つ、燃焼量すなわち加熱量の調節を指令する手動操作式の４個の入力操作部１０〜１３が夫々備えられている。
ちなみに、グリルバーナ２における上部バーナ２Ｕと左右の下部バーナ２Ｌ、２Ｒとに対しては、点火並びに消火の指令や燃焼量の指令を、各別に指令できるように構成されることが多いが、本実施形態においては、グリルバーナ２における３つのバーナ２Ｕ、２Ｌ、２Ｒに対して、点火並びに消火の指令や燃焼量の指令を、一つの入力操作部１３にて同時に指令する場合を説明する。
【００６４】
各入力操作部１０〜１３は、同様に構成されるものであり、図３に示すように、ガスコンロＡの前面パネル１５に、各入力操作部１０〜１３についての円柱状の指令操作体１６が、回転操作並びに押し操作自在に設けられている。
すなわち、指令操作体１６は、押し操作される毎に、前面パネル１５とほぼ面一になる押し込み位置と前方に突出する突出位置とに切り換えられ、また、突出位置に切り換えられているときに、正転方向及び逆転方向に回動操作されるように構成されている。
【００６５】
図４に示すように、指令操作体１６が押し込み位置になるとオフ状態となりかつ指令操作体１６が突出位置になるとオン状態となる点消火スイッチ１４、及び、指令操作体１６の回転操作に伴って燃焼量調整用のパルス信号を出力するロータリーエンコーダ１７が、前面パネル１５の内部に設けられている。
【００６６】
そして、マイクロコンピュータを備えて各種の制御を実行するように構成されたコンロ制御部Ｈが、各入力操作部１０〜１３にて指令された指令情報に基づいて、３つのコンロバーナ１及びグリルバーナ２の燃焼作動を制御するように構成されている。
すなわち、コンロ制御部Ｈは、コンロバーナ１やグリルバーナ２についての点消火スイッチ１４がオン状態になると、元ガス弁Ｖを開いて、対応するコンロバーナ１やグリルバーナ２に対する点火処理を実行し、点消火スイッチ１４がオフ状態になると対応するコンロバーナ１やグリルバーナ２の消火処理を実行し、また、ロータリーエンコーダ１７の出力及びに位置センサＳの検出情報に基づいて、指令操作体１６の回転操作量に対応するガス量になるように、コンロバーナ１やグリルバーナ２についてのガス量調整弁９を制御するように構成されている。
【００６７】
また、コンロ制御部Ｈは、３つのコンロバーナ１及びグリルバーナ２の全てを消火させるときには、元ガス弁Ｖを閉じることになる。
尚、コンロ制御部Ｈは、３つのコンロバーナ１に夫々に対応して装備した容器存否検出センサＮの検出情報に基づいて、燃焼量を調整する処理を実行することになるが、本書においては、その説明は省略する。
【００６８】
このガスコンロＡには、図４に示すように、換気装置Ｄに対して換気運転の実行及び停止等の換気運転に関する換気運転用指令情報を指令するためのガスコンロ側の通信処理部１８が設けられている。
このガスコンロ側の通信処理部１８は、送受信回路１８Ａと赤外線ポート１８Ｂとから構成されている。
この赤外線ポート１８Ｂは、赤外光を利用した無線式にて、換気装置Ｄに対して換気運転用指令情報を送信するように構成されるものであり、ガスコンロＡの上面部の背部側箇所に設けられている。
【００６９】
そして、コンロ制御部Ｈが、３つのコンロバーナ１及びグリルバーナ２の作動状態に基づいて、通信すべき換気運転用指令情報を赤外線ポート１８Ｂに対する送受信回路１８Ａに指令して、換気運転用指令情報を換気装置Ｄに指令するように構成されている。
本実施形態においては、換気運転用指令情報は、換気運転が必要であることを示す換気開始指令、換気運転が必要でないことを示す換気停止指令、及び、換気装置Ｄが出力すべき目標換気出力（以下、目標換気風量と記載する）である。
【００７０】
すなわち、コンロ制御部Ｈは、３つのコンロバーナ１及びグリルバーナ２のいずれかを点火して燃焼させるときには、ガスコンロＡが換気を必要とする運転処理を実行する状態であるとして、換気開始指令を換気装置Ｄに指令することになり、そして、３つのコンロバーナ１及びグリルバーナ２の全ての燃焼が停止した状態が設定時間（本実施形態では、３０秒）継続すると、ガスコンロＡが換気を必要とする運転処理を実行していない状態であるとして、換気停止指令を換気装置Ｄに指令することになり、さらに、３つのコンロバーナ１及びグリルバーナ２のいずれかが燃焼しているときには、その燃焼量の総和に基づいて換気装置Ｄが出力すべき目標換気風量を求めて、その目標換気風量を指令するように構成されている。
【００７１】
ちなみに、目標換気風量と、３つのコンロバーナ１及びグリルバーナ２の燃焼量の総和との関係を示す換気風量関係情報が予め設定されており、コンロ制御部Ｈは、入力操作部１０〜１３の夫々のロータリーエンコーダ１７の検出情報に基づいて、各バーナ１、２の燃焼量を検出して、その検出した燃焼量の総和を求め、この求めた燃焼量の総和と換気風量関係情報とに基づいて、目標換気風量（目標出力）を求めることになる。
【００７２】
換気装置Ｄは、図１及び図２に示すように、調理排気を吸引して外部に排出する換気作動部としての、電動モータ１９にて駆動される換気ファン２０と、レンジフードＣの下方側を照明する照明ランプ２１とを備え、そして、図７に示すように、換気ファン２０を駆動する電動モータ１９の換気作動及び照明ランプ２１の点灯作動を換気制御部２２にて制御するように構成されている。
また、図１、図２及び図７に示すように、手動操作にて換気作動及び点灯作動に関する諸々の指令情報を指令するための手動操作部２３が備えられている。
【００７３】
換気装置Ｄには、換気ファン２０を収納する吸気室Ｒ１と、換気制御部２２を収納する制御部収納室Ｒ２とが設けられている。
換気ファン２０は、フィルタ部２４を通して吸気室Ｒ１内に吸引した調理排気を、排気ダクト２５を通して外部に排出するように構成されている。
換気制御部２２は、換気装置Ｄが出力する換気出力、つまり、換気ファン２０の換気風量を、「強」「弱」の２段階に切り換えるべく、電動モータ１９を制御するように構成されている。
【００７４】
手動操作部２３には、換気作動停止を指令するための切スイッチ２３ａ、換気風量を「弱」にした状態にて換気作動することを指令する弱運転指令スイッチ２３ｂ、換気風量を「強」にした状態にて換気作動することを指令する強運転指令スイッチ２３ｃ、及び、照明ランプ２１の点灯及び消灯を指令するランプスイッチ２３ｄが備えられている。
【００７５】
換気装置Ｄには、図７に示すように、上述したガスコンロ側の通信処理部１８との間で赤外線を用いて通信する換気装置側の通信処理部２６が設けられている。
この換気装置側の通信処理部２６は、送受信回路２６Ａと赤外線ポート２６Ｂとから構成されている。
【００７６】
また、換気ファン２０を駆動する電動モータ１９の回転速度を検出する回転速度センサ２７が設けられ、その回転速度センサ２７の検出情報が、換気制御部２２に入力されるように構成されている。
ちなみに、本実施形態においては、回転速度センサ２７が、換気ファン２０が作動することにより出力した実換気出力（以下、実換気風量と記載）を検出する換気出力検出手段として機能することになる。
【００７７】
そして、換気制御部２２が、コンロ制御部Ｈから換気開始指令が指令されると、その換気開始指令を受信したことを示す応答情報をガスコンロＡに送信し、コンロ制御部Ｈから換気停止指令が指令されると、その換気停止指令を受信したことを示す応答情報をガスコンロＡに送信し、さらに、目標換気風量（目標換気出力）に対する応答情報として、換気ファン２０が実際に出力した実換気風量（実換気出力）をガスコンロＡに送信するように構成されている。
【００７８】
すなわち、換気制御部２２は、コンロ制御部Ｈから換気開始指令が指令されると、その換気開始指令を受信したことを示す応答情報を送信し、次に、コンロ制御部Ｈから指令される目標換気風量に基づいて、回転速度センサ２７の検出情報が指令された目標換気風量に対応する回転速度となるように、換気ファン２０を駆動する電動モータ１９の作動を制御することになる。
そして、換気制御部２２は、換気ファン２０を駆動する電動モータ１９の作動を制御してからの時間が設定時間（例えば、４秒）を経過した段階で、回転速度センサ２７の検出情報に基づいて求めた実換気風量を送信することになる。
【００７９】
また、換気制御部２２は、コンロ制御部Ｈから換気停止指令が指令されると、その換気停止指令を受信したことを示す応答情報を送信したのち、換気ファン２０を駆動する電動モータ１９の作動を停止させるように構成されている。
【００８０】
ちなみに、本実施形態においては、換気ファン２０の換気風量を「強」と「弱」との２段階に切り換える構成であるので、換気制御部２２は、目標換気風量が換気ファン２０を「弱」で作動させた場合に出力される換気風量よりも小さいときには、換気ファン２０を「弱」で作動させ、目標換気風量が換気ファン２０を「弱」で作動させた場合に出力される換気風量よりも大きいときには、換気ファン２０を「強」で作動させるように構成されている。
【００８１】
本実施形態においては、換気制御部２２は、上述の如く、手動操作部２３における各スイッチ２３ａ〜２３ｄの指令に基づいて、換気ファン２０及び照明ランプ２１の作動制御するものであるため、換気ファン２０（具体的には、電動モータ１９）の作動については、手動操作部２３からの指令と、コンロ制御部Ｈからの指令とが重なる場合があるが、このような場合においては、換気ファン２０を作動させる指令を停止させる指令よりも優先し、かつ、換気風量が多い側の指令を用いて換気ファン２０を作動させるように構成されている。
【００８２】
ガスコンロ側の通信処理部１８について説明を加えると、送受信回路１８Ａは、コンロ制御部Ｈから指令された送信データを記憶する送信用バッファ、赤外線ポート１８Ｂからの受信データをフィルタ処理するフィルタ回路、送信用バッファに記憶した送信データを変調して赤外線ポート１８Ｂに出力しかつフィルタ回路から出力される受信データを復調する制御回路、及び、復調された受信データを記憶する受信用バッファ等を備えて構成されている。
赤外線ポート１８Ｂは、赤外線発光素子、送受信回路１８Ａからの出力にて赤外線発光素子を駆動する駆動回路、赤外線受光素子、及び、その赤外線受光素子が受光した情報を増幅して送受信回路に出力する増幅回路等を備えて構成されている。
【００８３】
そして、換気装置側の通信処理部２６は、ガスコンロ側の通信処理部１８と同様に構成されている。
すなわち、送受信回路２６Ａは、換気制御部２２から指令された送信データを記憶する送信用バッファ、赤外線ポート２６Ｂからの受信データをフィルタ処理するフィルタ回路、送信用バッファに記憶した送信データを変調して赤外線ポート２６Ｂに出力しかつフィルタ回路から出力される受信データを復調する制御回路、及び、復調された受信データを記憶する受信用バッファ等を備えて構成されている。
赤外線ポート２６Ｂは、赤外線発光素子、送受信回路２６Ａからの出力にて赤外線発光素子を駆動する駆動回路、赤外線受光素子、及び、その赤外線受光素子が受光した情報を増幅して送受信回路に出力する増幅回路等を備えて構成されている。
【００８４】
ガスコンロ側の通信処理部１８と換気装置側の通信処理部２６との間での赤外線通信について説明を加えると、本実施形態においては、搬送波（以下、通信用キャリアと記載する）として、周波数３８ｋＨｚ、デューティ比１／３の赤外線が用いられている。
そして、ガスコンロ側の通信処理部１８と換気装置側の通信処理部２６との間での通信のフォーマットは次の通りである。
図５に示すように、通信用フォーマットは、「リーダコード」、「カスタムコード」、「データコード」、「ストップビット」からなるフォーマットである。
図６には、通信用フォーマットにおいて、データ「１」と、データ「０」とを示すデータ構成を示している。尚、図６において、通信用キャリアが存在する場合をｏｎ、通信用キャリアが存在しない場合をｏｆｆとして表している。
【００８５】
通信フォーマットにおけるリーダコードは、通信用キャリアのｏｎ状態が９ｍｓの期間に亘って続き、その後に ４．５ｍｓの期間に亘って通信用キャリアのｏｆｆ状態が続くように定義されている。
なお、このリーダコードは、通信用フォーマットのなかで、通信用キャリアが最も長い時間に亘り連続して存在するコードである。
【００８６】
「カスタムコード」は、製造メーカ毎に割り当てられる１６ビットのデータである。
本実施形態では、８ビットのカスタムコードと、８ビットのカスタムコードの１と０を反転させた８ビットのパリティ用反転カスタムコードとからなる、連続した１６ビットのコードをカスタムコードとしている。
【００８７】
「データコード」は、送信したいデータそのものである。
本実施形態では、８ビットからなるデータコードと、データコードの１と０を反転させた８ビットのパリティ用反転データコードとからなる、連続した１６ビットのデータとしている。
つまり、このデータコードが、ガスコンロ側の換気装置側に送信される、換気開始指令、換気停止指令、目標換気風量や、換気装置側からガスコンロ側に送信される、換気開始指令を受信したことを示す応答情報、換気停止指令を受信したことを示す応答情報、実換気風量に対応するデータコードに変調されて、ガスコンロＡと換気装置Ｄとの間にて通信されることになる。
【００８８】
ちなみに、本実施形態においては、上述の説明からも理解できるように、ガスコンロ側から換気装置Ｄを作動させるように指令する場合には、先ず、換気開始指令を指令するデータコードを送信し、続いて、目標換気風量を指令するデータコードを送信することになる。
【００８９】
「カスタムコード」及び「データコード」は、０や１のデータを含むが、０／１の区別は単純に通信用キャリアがＯＮの場合に１とし、通信用キャリアがＯＦＦの場合に０とすることにより行うのではなく、上記した如く、図６に示すように、通信用キャリアが０．５６ｍＳの期間ｏｎした後に通信用キャリアのｏｆｆする期間が１．６９ｍｓ（通信用キャリアのｏｎから次のｏｎまでの周期が２．２５ｍｓ）の場合を１とし、通信用キャリアが０．５６ｍｓの期間ｏｎした後に通信用キャリアのｏｆｆする期間が０．５６５ｍｓ（通信用キャリアのｏｎから次のｏｎまでの周期が１．１２５ｍｓ）の場合を０としている。
【００９０】
したがって、１が連続する場合においても、その間、通信用キャリアが連続してｏｎ状態となることがなく、また、０が連続する場合においても、その間、通信キャリアが連続してｏｆｆ状態となることがないため、通信キャリアの有無の検出精度が高い復調回路を用いることで、外乱ノイズの影響を受けにくい通信が可能となっている。
【００９１】
「ストップビット」は、送信データの最後が１であるのか、送信データの最後が０であるのかを識別するために用いられるデータである。
【００９２】
図７に示すように、換気装置Ｄには、外部機器としてのガスコンロＡからのリセット指令により換気制御部２２をリセットするためのリセット処理を実行するリセット処理部Ｆが設けられている。
すなわち、リセット処理部Ｆが、通信処理部２６が受信したガスコンロＡからの送信信号の信号形態がリセット要求用信号形態になると、ガスコンロＡからのリセット指令であるとしてリセット処理を実行するように構成され、そして、リセット処理として、換気制御部２２のリセット用入力端子Ｅにリセット信号を出力するように構成されている。
【００９３】
そして、本実施形態においては、リセット要求用信号形態が、通信用キャリアの連続存在時間を、通常通信用の通信用キャリア連続存在時間（通常通信用の搬送波連続存在時間）よりも増大させた状態で、通信用キャリア（搬送波）を出力する形態に定められている。
つまり、ガスコンロＡからの通信用フォーマットは、上述の如く、リーダコードが、通信用フォーマットのなかで、搬送用キャリアが最も長い時間に亘り連続して存在するコードであり、換気制御部２２をリセットする際には、ガスコンロＡから、通信用キャリアのｏｎ状態が９ｍｓよりも長いデータ（例えば、１４ｍｓ）が通信されることになる。
【００９４】
リセット処理部Ｆは、３８ｋＨｚフィルタ回路３０、及び、その回路３０からの連続出力時間が１２ｍｓ以上になるとリセット信号を出力する１２ｍＳタイマ回路３１を備えて構成されている。
すなわち、図８に示すように、赤外線ポート２６Ｂから３８ｋＨｚフィルタ回路３０に出力されるＡ部の出力に応じて、３８ｋＨｚフィルタ回路３０から１２ｍＳタイマ回路３１にＢ部の信号が出力され、１２ｍＳタイマ回路３１が、Ｂ部の出力に応じて、リセット信号をＣ部に出力するように構成されている。
【００９５】
つまり、搬送用キャリヤ（搬送波）の連続存在時間が基準時間Ｔ２（１２ｍＳ）より短い時間Ｔ１である場合には、リセット出力は出力されないものの、搬送用キャリヤ（搬送波）の連続存在時間が基準時間Ｔ２（１２ｍＳ）より長い時間Ｔ３である場合には、Ｃ部にリセット信号が出力されるように構成されている。
【００９６】
そして、本実施形態においては、ガスコンロＡが、換気運転用指令情報の通信に対する換気装置Ｄからの応答情報を設定適正状態にて受信できないときには、換気装置Ｄの異常であるとして、リセット指令を指令するように構成されている。
すなわち、換気制御部２２が、上述の如く、ガスコンロＡからの換気運転用指令情報に対する応答情報を通信処理部２６からガスコンロＡに通信することになるが、コンロ制御部Ｈが、換気運転用指令情報の通信に対する応答情報を設定適正状態にて受信できないときには、換気装置Ｄの異常であるとして、リセット指令を指令するように構成されている。
【００９７】
具体的には、コンロ制御部Ｈから換気開始指令を指令したきに換気制御部２２から送信される応答情報が、設定適正状態のデータではない場合、コンロ制御部Ｈから換気停止指令を指令したときに換気制御部２２から送信される応答情報が、設定適正状態のデータではない場合、さらに、換気制御部２２から送信される実換気風量を示す情報が、設定適正状態のデータではない場合には、換気装置Ｄの異常であるとして、リセット指令を指令するように構成されている。
【００９８】
また、ガスコンロＡが、換気装置Ｄの通信処理部２６から通信されてくる実換気風量に基づいて、換気装置Ｄが正常であるか否かを判別して、異常であると判別したときには、リセット指令を指令するように構成されている。
すなわち、換気制御部２２は、換気作動部としての換気ファン２０が作動することにより出力した実換気風量（実換気出力）を、換気出力検出手段としての回転速度センサ２７の検出情報に基づいて求めて、その実換気風量を、上述の如く、通信処理部２６からガスコンロ側に通信することになるが、コンロ制御部Ｈは、換気装置Ｄの通信処理部２６から通信されてくる実換気風量に基づいて、換気装置Ｄが正常であるか否かを判別して、異常であると判別したときには、リセット指令を指令することになる。
【００９９】
具体的には、コンロ制御部Ｈが、上述の如く、換気装置Ｄの目標換気風量を換気装置Ｄに指令すると、換気制御部２２が、換気ファン２０が目標換気風量を出力するように、換気ファン２０の駆動用の電動モータ１９を制御し、かつ、回転速度センサ２７の検出情報に基づいて求めた実換気風量を、通信処理部２６からガスコンロ側に通信する。
コンロ制御部Ｈは、換気装置Ｄの通信処理部２６から通信されてくる実換気風量が目標換気風量よりも設定値以上低いときには、換気装置Ｄが異常であると判別するように構成されている。
ちなみに、本実施形態においては、換気装置Ｄの通信処理部２６から通信されてくる実換気風量が目標換気風量よりも設定値以上低いときとは、実換気風量が目標換気風量の半分以下のときである。
【０１００】
さらに、ガスコンロＡ、つまりコンロ制御部Ｈは、換気装置Ｄの通信処理部２６から通信されてくる実換気風量が目標換気風量よりも低いものの、上記の設定値以上低くないときには、実換気風量に見合った能力にて、コンロバーナ１及びグリルバーナ２を燃焼させるように構成されている。
【０１０１】
ちなみに、本実施形態においては、換気装置Ｄの通信処理部２６から通信されてくる実換気風量が目標換気風量よりも低いときとは、実換気風量が目標換気風量の９５パーセントよりも低いときである。
つまり、換気装置Ｄの通信処理部２６から通信されてくる実換気風量が、目標換気風量の９５パーセントよりも低く、かつ、実換気風量が目標換気風量の半分よりも高いときには、実換気風量に見合った能力（燃焼量）にて、コンロバーナ１及びグリルバーナ２が燃焼されることなる。
【０１０２】
ちなみに、実換気風量に見合った能力（燃焼量）は、上述した換気風量関係情報に基づいて求めることができる。
すなわち、換気風量関係情報は、目標換気風量と、３つのコンロバーナ１及びグリルバーナ２の燃焼量の総和との関係を示す情報であるから、目標換気風量を、実換気風量に置き換えることによって、３つのコンロバーナ１及びグリルバーナ２の燃焼量の総和を求めることができるのであり、この求めた燃焼量の総和が、実換気風量に見合った能力としての燃焼量である。
つまり、実換気風量見合った能力として求められる燃焼量の総和が、３つのコンロバーナ１及びグリルバーナ２についての燃焼可能な燃焼量の総和になる。
【０１０３】
また、本実施形態においては、コンロ制御部Ｈは、換気運転用指令情報の通信に対する換気装置Ｄからの応答情報を設定適正状態にて受信できないときには、応答情報を設定適正状態にて受信できるまで、リセット指令を指令することを繰り返すように構成され、そして、リセット指令を指令することを２回繰り返しても、換気装置Ｄからの応答情報を設定適正状態にて受信できないときには、コンロバーナ１及びグリルバーナ２の燃焼を停止し、また、換気装置Ｄとの間での通信を停止するように構成されている。
【０１０４】
さらに、本実施形態においては、コンロ制御部Ｈは、換気装置Ｄの通信処理部２６から通信されてくる実換気風量が目標換気風量の半分以下であるときには、実換気風量が目標換気風量の半分よりも高くなるまで、リセット指令を指令することを繰り返すように構成され、そして、リセット指令を指令することを２回繰り返しても、実換気換気風量が目標換気風量の半分よりも高くならないときには、コンロバーナ１及びグリルバーナ２の燃焼を停止し、また、換気装置Ｄとの間での通信を停止するように構成されている。
【０１０５】
ガスコンロＡがリセット指令を換気装置Ｄに指令する構成について説明すると、図４に示すように、コンロ制御部Ｈが、リセット指令を指令するときには、リセット回路Ｑに対して、送信指令（例えば、１５ｍｓのハイ信号）を指令するように構成され、リセット回路Ｑが、コンロ制御部Ｈからの送信指令に基づいて、周波数３８ｋＨｚ、デューティ比１／３の搬送用キャリアに相当する出力信号を設定時間（例えば、１５ｍｓ）の間に亘って赤外線ポート１８Ｂに出力するように構成されている。
【０１０６】
そして、本実施形態においては、リセット回路Ｑからの出力信号を送受信回路１８Ａの送信信号よりも優先して選択する選択回路Ｐが設けられている。
この選択回路Ｐは、コンロ制御部Ｈがリセット回路Ｑに指令する送信指令の反転信号を生成するＮＯＴ回路３２、ＮＯＴ回路３２の信号と送受信回路１８Ａからの信号とが入力されるＡＮＤ回路３３、及び、そのＡＮＤ回路３３からの信号とリセット回路Ｑの出力とが入力されるＯＲ回路３４を備えて構成されている。
【０１０７】
つまり、コンロ制御部Ｈがリセット回路Ｑに対して送信指令（例えば、１５ｍｓのハイ信号）を指令している間は、ＮＯＴ回路３２の信号はロウ信号となるため、送受信回路１８Ａからの信号が、赤外線ポート１８Ｂに出力されることはなく、リセット回路Ｑからの出力信号が、赤外線ポート１８Ｂに出力されることになるのである。
【０１０８】
次に、コンロ制御部Ｈ及び換気制御部２２の制御作動について、フローチャートを参照しながら説明を加える。
先ず、コンロ制御部Ｈの制御作動を説明する。
図９に示すように、コンロ制御部Ｈは、電源の投入により起動すると、各種の制御用フラグをＯＦＦにする等の初期化の処理を実行する（＃１）。
【０１０９】
その後、センサ類の情報や送受信回路１８Ａの受信バッファの記憶内容を読取る入力処理（＃２）、コンロバーナ１及びグリルバーナ２の燃焼作動を制御するための機器制御処理（＃３）、換気装置Ｄに送信する情報を設定する送信情報設定処理（＃４）、換気装置Ｄから送信されてきたデータを判定する受信内容判定処理（＃５）、送信情報設定処理によって設定した送信用データを送信する換気用データ送信処理（＃６）、及び、リセット指令を換気装置Ｄに送信するためのリセット指令送信処理（＃７）を、繰り返し実行することになる。
【０１１０】
次に、＃２の入力処理について説明する。
図１０に示すように、先ず、点消火スイッチ１４、ロータリーエンコーダ１７等のセンサ類の検出情報を読み込む処理（＃１１）、送受信回路１８の受信バッファのデータを読み込む処理（＃１２）を順次実行する。
【０１１１】
次に、＃１２の読込処理を実行したときに、データが存在する場合には、その読み込んだデータの通信用フォーマットが適正であるか否か等、受信データが設定適正状態であるか否か（受信データが正常であるか否か）を判定し（＃１３）、正常でない場合には、異常フラグをＯＮにし（＃１４）、その後、機器制御処理（＃３）に移行する。
尚、＃１２の読込処理を実行したときに、データが存在しない場合には、その後、直ちに機器制御処理（＃３）に移行することになるが、図１０においては、その流れの記載を省略している。
【０１１２】
＃１３にて、正常であると判定した場合には、受信データを記憶する処理（＃１５）、異常フラグをＯＦＦにする処理（＃１６）を順次実行し、その後、機器制御処理（＃３）に移行する。
【０１１３】
次に、＃３の機器制御処理について説明する。
図１１に示すように、先ず、詳細を後述する＃５の受信内容判定処理にて設定される停止フラグがＯＮであるか否かを判定する（＃２１）。
停止フラグがＯＮである場合には、換気装置Ｄが適正に作動していない異常状態であるため、コンロバーナ１及びグリルバーナ２の燃焼や、換気装置Ｄとの間での通信を停止する停止処理を実行し（＃２５）、さらに、警報ランプや警報ブザーにて異常を報知する報知処理を実行する（＃２６）。
【０１１４】
＃２１にて、停止フラグがＯＮでないと判定した場合には、換気装置Ｄの実換気風量（図面では、受信風量と記載）が、目標換気風量（図面では、換気風量と記載）の９５パーセントよりも大きいか否かを判定する（＃２２）。
＃２２にて、実換気風量（受信風量）が目標換気風量（換気風量）の９５パーセントよりも大きいと判定したときには、コンロバーナ１及びグリルバーナ２を使用者によって指令された燃焼量にて燃焼させる非制限燃焼制御を実行し（＃２３）。その後、送信情報設定処理（＃４）に移行する。
【０１１５】
＃２２にて、実換気風量（受信風量）が目標換気風量（換気風量）の９５パーセントよりも大きくないと判定したときには、コンロバーナ１及びグリルバーナ２の燃焼量の総和を、換気装置Ｄの実換気風量に見合った燃焼量に制限することになる有制限燃焼制御を実行し（＃２４）、その後、送信情報設定処理（＃４）に移行する。
ちなみに、実換気風量（受信風量）が目標換気風量（換気風量）の半分以下である場合には、後述の如く、停止フラグがＯＮにセットされることになるため、この有制限燃焼制御が実行されることはない。つまり、有制限燃焼制御は、実換気風量（受信風量）が目標換気風量（換気風量）の９５パーセントよりも低いものの、実換気風量（受信風量）が目標換気風量（換気風量）の半分よりも高い場合に実行されることになる。
【０１１６】
＃２４の有制限燃焼制御は、上述した如く、換気風量関係情報に基づいて、実換気風量に見合った能力としての、３つのコンロバーナ１及びグリルバーナ２についての燃焼可能な燃焼量の総和を求めて、コンロバーナ１及びグリルバーナ２の燃焼量の総和を、求めた燃焼可能な燃焼量の総和内に収めるように、コンロバーナ１及びグリルバーナ２の燃焼量を制御することになる。
尚、コンロバーナ１及びグリルバーナ２の燃焼量を減少させる場合において、コンロバーナ１及びグリルバーナ２の両者が燃焼中であるときには、コンロバーナ１の燃焼量を減少させることになり、コンロバーナ１の３つのバーナのうちの２つ以上が燃焼しているときには、小火力バーナ１ｂ、標準バーナ１ａ、高火力バーナ１ｃの順にて、燃焼量を減少させることになる。
【０１１７】
次に、＃４の送信情報設定処理について説明する。
図１２に示すように、先ず、３つコンロバーナ１及びグリルバーナ２のいずれかを燃焼させているとき、または、その燃焼のための点火処理を行っているときであるか否か、つまり、機器使用中であるか否かを判定する（＃３１）。
＃３１にて、機器使用中であると判定したときには、換気開始指令の指令済みであるか否かを判定し（＃３２）、指令済みでないときには、換気開始指令を換気装置Ｄに指令することを設定する換気開始指令設定処理を行う（＃３３）。
【０１１８】
＃３２にて、指令済みであると判定したときや、＃３３の換気開始指令設定処理を実行したあとは、換気風量を演算する換気風量演算処理を実行する（＃３４）。
この換気風量演算処理は、上述の如く、入力操作部１０〜１３の夫々のロータリーエンコーダ１７の検出情報に基づいて、各バーナ１、２の燃焼量を検出して、その検出した燃焼量の総和を求め、この求めた燃焼量の総和と換気風量関係情報とに基づいて、目標換気風量を求める処理である。
【０１１９】
＃３４の換気風量演算処理を実行したあとは、求めた換気風量が前回求めた換気風量から変化したか否かを判定し（＃３５）、変化していると判定した場合には、求めた換気風量を換気装置Ｄに指令することを設定する換気風量指令設定処理を実行する（＃３６）。
＃３５にて、変化していないと判定した場合や、＃３６の換気風量指令設定処理を実行したのちは、受信内容判定処理（＃５）に移行する。
【０１２０】
＃３１にて、機器使用中でないと判定したときには、換気停止指令の指令済みであるか否かを判定し（＃３７）、指令済みでないときには、機器使用後３０秒経過したか否かを判定する（＃３８）
機器使用後３０秒経過しているときには、換気停止指令を換気装置Ｄに指令することを設定する換気停止指令設定処理を行う（＃３９）。
【０１２１】
＃３７にて、指令済みであると判定した場合、＃３８にて、機器使用後３０秒経過していないと判断した場合、及び、＃３９の換気停止指令設定処理を実行したのちは、＃５の受信内容判定処理に移行する。
【０１２２】
尚、＃３６の換気風量指令設定処理は、換気停止指令に対する応答情報を設定適正状態で受信した場合にのみ実行され、＃３９の換気停止指令設定処理は、換気停止指令に対する応答情報を設定適正状態で受信し、また、目標換気風量の指令に対する応答情報としての、実換気風量を示す情報を設定適正状態で受信した場合にのみ実行されるが、図１２では、その流れの記載を省略している。
【０１２３】
次に、＃５の受信内容判定処理について説明する。
図１３に示すように、先ず、換気開始指令後の判別タイミングであるか否かを判定する（＃４１）。この判別タイミングとは、＃６の換気用データ送信処理にて換気開始指令を指令したのち、＃２の入力処理にて、換気装置Ｄからの応答情報として送受信回路１８Ａの受信バッファに記憶されている換気装置Ｄからのデータを読み込んだ直後のタイミングである。
【０１２４】
＃４１にて、判別タイミングであると判定したときには、＃２の入力処理にて設定される異常フラグがＯＮであるか否かによって、換気装置Ｄからの応答が正常であるか否かを判定する（＃４２）。
【０１２５】
＃４２にて、応答が正常でないと判定したときには、換気装置Ｄに対してリセット指令を指令することを設定するリセット指令設定処理（＃４３）、リセットカウンタＲＣを加算するカウンタ加算処理（＃４４）、換気開始指令を再度指令することを設定する換気開始指令設定処理（＃４５）を実行する。
また、＃４２にて、応答が正常であると判定したときには、リセットカウンタＲＣを零に初期化するカウンタ初期化処理を実行する（＃４６）。
【０１２６】
＃４１にて、判別タイミングでないと判定したときや、＃４６のカウンタ初期化処理を実行したのち、及び、＃４５の換気開始指令設定処理を実行したのちには、＃４７の処理に移行する。
＃４７の処理は、換気停止指令後の判別タイミングであるか否かを判定する処理である。この判別タイミングとは、＃６の換気用データ送信処理にて換気停止指令を指令したのち、＃２の入力処理にて、換気装置Ｄからの応答情報として送受信回路１８Ａの受信バッファに記憶されている換気装置Ｄからのデータを読み込んだ直後のタイミングである。
【０１２７】
＃４７にて、判別タイミングであると判定したときには、＃２の入力処理にて設定される異常フラグがＯＮであるか否かによって、換気装置Ｄからの応答が正常であるか否かを判定する（＃４８）。
【０１２８】
＃４８にて、応答が正常でないと判定したときには、換気装置Ｄに対してリセット指令を指令することを設定するリセット指令設定処理（＃４９）、リセットカウンタＲＣを加算するカウンタ加算処理（＃５０）、換気停止指令を再度指令することを設定する換気停止指令設定処理（＃５１）を実行する。
また、＃４２にて、応答が正常であると判定したときには、リセットカウンタＲＣを零に初期化するカウンタ初期化処理を実行する（＃５２）。
【０１２９】
＃４７にて、判別タイミングでないと判定したときや、＃５２のカウンタ初期化処理を実行したのち、及び、＃５１の換気停止指令設定処理を実行したのちには、＃５３の処理に移行する。
＃５３の処理は、換気装置Ｄに対して目標換気風量を指令した換気風量指令後の判別タイミングであるか否かを判定する処理である。
この判別タイミングとは、＃６の換気用データ送信処理にて目標換気換気風量を指令したのち、＃２の入力処理にて、換気装置Ｄからの応答情報として送受信回路１８Ａの受信バッファに記憶されている換気装置Ｄからのデータを読み込んだ直後のタイミングである。
【０１３０】
＃５３にて、判別タイミングであると判定したときには、＃２の入力処理にて設定される異常フラグがＯＮであるか否かによって、換気装置Ｄからの応答が正常であるか否かを判定する（＃５４）。
【０１３１】
＃５４にて、応答が正常でないと判定したときには、換気装置Ｄに対してリセット指令を指令することを設定するリセット指令設定処理（＃５５）、リセットカウンタＲＣを加算するカウンタ加算処理（＃５６）、目標換気風量を再度指令することを設定する換気風量指令設定処理（＃５７）を実行する。
【０１３２】
＃５４にて、応答が正常であると判定したときには、換気装置Ｄの実換気風量（図面では、受信風量と記載）が、目標換気風量（図面では、換気風量と記載）の半分よりも大きいか否かを判定し（＃５８）、大きくないと判定した場合、つまり、実換気風量（受信風量）が目標換気風量（換気風量）の半分以下であると判定した場合には、＃５４にて応答が正常でないと判定したときと同様に、リセット指令設定処理（＃５５）、カウンタ加算処理（＃５６）、及び、換気風量指令設定処理（＃５７）を順次実行する。
また、＃５８にて、大きいと判定した場合、つまり、実換気風量（受信風量）が目標換気風量（換気風量）の半分より大きいと判定した場合には、リセットカウンタＲＣを零に初期化するカウンタ初期化処理を実行する（＃５９）。
【０１３３】
＃５３にて、判別タイミングでないと判定したときや、＃５９のカウンタ初期化処理を実行したのち、及び、＃５７の換気風量指令設定処理を実行したのちには、リセットカウンタＲＣが３であるか否かを判定する（＃６０）。
この＃６０にて、リセットカウンタＲＣが３であると判定したときには、換気装置Ｄに対してリセット指令を２回指令したにも拘わらず、換気装置Ｄが正常に動作していない状況であると判断できるため、上述した停止フラグをＯＮにする（＃６１）。
【０１３４】
＃６０にて、リセットカウンタＲＣが３でないと判定したときや、＃６１にて、停止フラグをＯＮにする処理を実行したのちは、＃６の換気用データ送信処理に移行する。
【０１３５】
次に、＃６の換気用データ送信処理について説明する。
図１４に示すように、先ず、＃７のリセット指令送信処理によってリセット指令を指令したのちの設定時間（例えば、５秒）内か否かを判定する（＃７０）。
つまり、換気装置Ｄにリセット指令を指令したときには、換気装置Ｄがリセットされてから通常の作動状態に立ち上がるまでには時間が掛かることになるため、換気装置Ｄにリセット指令を指令した場合において、換気装置Ｄが通常の作動状態に立ち上がるまでに必要とする時間が経過しているか否かを判定することになる。
【０１３６】
＃７０にて、リセット指令を指令したのちの設定時間（例えば、５秒）内でないと判定した場合には、換気開始指令、換気停止指令、又は、目標換気風量を、送受信回路１８Ａに指令する送信データ送信処理を実行する（＃７１）。
ちなみに、換気開始指令、換気停止指令、又は、目標換気換気風量は、上述したように、＃４の送信情報設定処理、及び、＃５の受信内容判定処理によって設定されることになる。
【０１３７】
＃７０にて、リセット指令を指令したのちの設定時間（例えば、５秒）内であると判定した場合や、＃７１の送信データ送信処理を実行したのちは、＃７のリセット指令送信処理に移行することになる。
尚、＃７１の送信データ送信処理を実行するときに、送信するデータが存在しない場合には、その後、直ちにリセット指令送信処理（＃３）に移行することになるが、図１４においては、その流れの記載を省略している。
【０１３８】
次に、＃７のリセット指令送信処理について説明する。
図１５に示すように、先ず、リセット指令が有るか否かを判定する（＃８１）。
この＃８１にて、リセット指令が有ると判定した場合には、リセット回路Ｑに対して送信指令（例えば、１５ｍｓのハイ信号）を指令するリセット指令送信処理（＃８２）、及び、リセット指令を解除するリセット指令解除処理（＃８３）を順次実行する。
【０１３９】
＃８１にて、リセット指令が有ると判定した場合や、＃８３のリセット指令解除処理を実行したのちは、＃２の入力処理に移行することになる。
【０１４０】
次に、換気制御部２２の制御作動について、フローチャートを参照しながら説明を加える。
図１６に示すように、換気制御部２２は、電源の投入により起動すると、各種の制御用フラグをＯＦＦにする等の初期化の処理を実行する（＃１０１）。
ちなみに、換気制御部２２は、上述の如く、リセット処理部Ｆからのリセット信号がリセット用入力端子Ｅに入力された場合にも、初期化の処理（＃１０１）を実行することになる。
【０１４１】
その後、センサ類の情報や送受信回路２６Ａの受信バッファの記憶内容を読取る入力処理（＃１０２）、換気ファン２０の駆動用の電動モータ１９の作動や照明ランプ２の作動を制御する換気制御処理（＃１０３）、ガスコンロＡに送信する情報を設定する送信情報設定処理（＃１０４）、及び、送信情報設定処理によって設定した送信用データを送信する送信処理（＃１０５）を、繰り返し実行することになる。
【０１４２】
送信情報設定処理（＃１０４）にて設定する送信データは、上述の如く、コンロ制御部Ｈから換気開始指令が指令されたときの応答情報、コンロ制御部Ｈから換気停止指令が指令されたときの応答情報、及び、実換気風量を示す情報である。
【０１４３】
送信処理（＃１０５）は、換気開始指令に対する応答情報、換気停止指令に対する応答情報、又は、実換気風量を示す情報を、送受信回路２６Ａに指令する処理である。
【０１４４】
以上の通り、この第１実施形態においては、換気装置ＤからガスコンロＡに送信される情報、つまり、換気開始指令に対する応答情報、換気停止指令に対する応答情報、又は、実換気風量を示す情報が、ガスコンロ側にて受信されたときに、設定適正状態で無い場合には、ガスコンロＡのリセット指令に基づいて、換気装置Ｄの換気制御部２２をリセットすることにより、換気装置Ｄの作動を正常な状態に戻して、適正に換気する状態でガスコンロＡを使用することが可能となるのである。
【０１４５】
また、換気装置Ｄの実換気風量が、ガスコンロＡが必要とする目標換気風量よりも低くても、実換気風量が目標換気風量の半分よりも大きい場合には、ガスコンロＡの燃焼量を実換気風量に見合った燃焼量に抑制した状態で、ガスコンロＡの使用を継続させることができるので、ガスコンロＡを極力使用することが可能となり、ガスコンロＡを使用できなくなる事態を極力回避できるものとなっている。
【０１４６】
尚、本実施形態においては、ガスオーブンＢが燃焼作動したときに、換気装置Ｄを作動させることについての説明は省略したが、ガスオーブンＢのオーブン制御部とコンロ制御部とを通信自在に接続して、オーブン制御部からコンロ制御部Ｈに、ガスオーブンの点火、消火、及び、燃焼量の情報を通信するようにして、コンロ制御部Ｈが、ガスオーブンＢの使用状況にも基づいて、換気装置Ｄに対して換気運転用指令情報を指令するように構成してもよい。
【０１４７】
〔第２実施形態〕
次に、第２実施形態を説明するが、この第２実施形態は、ガスコンロＡからのリセット信号にて換気装置Ｄをリセットする構成の別実施形態を例示するものであって、ガスコンロＡの構成や換気装置Ｄの構成は、第１実施形態と同様に構成されるものであるため、以下の説明においては、第１実施形態と異なる部分についてのみ説明する。
【０１４８】
図１７に示すように、換気装置Ｄが備えるリセット処理部Ｆが、赤外線ポート２６Ｂから５４ｋＨｚの信号が出力されると、リセット用入力端子Ｅにリセット信号を出力する５４ｋＨｚフィルタ回路４０にて構成されている。
【０１４９】
すなわち、図１８に示すように、赤外線ポート２６Ｂから５４ｋＨｚの信号（Ｔ２で示す期間）がＡ部に出力されると、５４ｋＨｚフィルタ回路４０がリセット信号をＢ部に出力するように構成され、また、赤外線ポート２６Ｂから３８ｋＨｚの信号（Ｔ１で示す期間）がＡ部に出力されても、５４ｋＨｚフィルタ回路４０は、リセット信号をＢ部に出力しないように構成されている。
【０１５０】
そして、ガスコンロＡに備えさせるコンロ制御部Ｈが、リセット指令を指令するときには、リセット回路Ｑに対して、送信指令（例えば、１５ｍｓのハイ信号）を指令するように構成され、リセット回路Ｑが、コンロ制御部Ｈからの送信指令に基づいて、周波数５４ｋＨｚ、デューティ比１／３の搬送用キャリアに相当する出力信号を設定時間（例えば、１５ｍｓ）の間に亘って赤外線ポート１８Ｂに出力するように構成されている。
【０１５１】
このように、この第２実施形態においては、ガスコンロ側から周波数５４ｋＨｚの赤外線が、リセット指令用の出力信号として、換気装置側に送信され、換気装置Ｄが備えるリセット処理部Ｆが、赤外線ポート２６Ｂから５４ｋＨｚの信号が出力されると、換気制御部２２のリセット用入力端子Ｅにリセット信号を出力することにより、換気制御部２２をリセットするようになっている。
つまり、この第２実施形態においては、リセット要求用信号形態が、搬送用キャリア（搬送波）の周波数を、通常通信用の周波数（３８ｋＨｚ）とは異なる周波数（５４ｋＨｚ）に変更した状態で、搬送用キャリア（搬送波）を出力する形態である
【０１５２】
尚、この第２実施形態におけるコンロ制御部Ｈの制御作動や換気制御部２２の制御作動は、第１実施形態と同様であるので、その説明を省略する。
【０１５３】
〔第３実施形態〕
次に、第３実施形態を説明するが、この第３実施形態は、ガスコンロＡからのリセット信号にて換気装置Ｄをリセットする構成の別実施形態を例示するものであって、ガスコンロＡの構成や換気装置Ｄの構成は、第１実施形態と同様に構成されるものであるため、以下の説明においては、第１実施形態と異なる部分についてのみ説明する。
【０１５４】
図１９に示すように、換気装置Ｄが備えるリセット処理部Ｆが、作動用信号の入力により、換気制御部２２に供給する電力を設定時間（例えば、１秒）の間遮断する電源回路４１にて構成されている。
【０１５５】
そして、ガスコンロＡに備えさせるコンロ制御部Ｈが、リセット指令を指令するときには、リセット回路Ｑに対して、送信指令（例えば、１５ｍｓのハイ信号）を指令するように構成されている。
リセット回路Ｑは、電源回路４１に対して信号線４２にて接続され、そして、コンロ制御部Ｈからの送信指令に基づいて、電源回路４１を作動させる作動用信号を、設定時間（例えば、１５ｍｓ）の間に亘って信号線４２に出力するように構成されている。
【０１５６】
このように、この第３実施形態においては、ガスコンロ側から信号線４２を用いて電源回路４１を作動させる作動用信号が、リセット指令用の出力信号として、換気装置側に送信され、換気装置Ｄが備える電源回路４１が、気制御部２２に供給する電力を設定時間（例えば、１秒）の間遮断することにより、換気制御部２２をリセットするようになっている。
つまり、この第３実施形態においては、ガスコンロ側や換気装置側に装備する通信処理部１８、２６が無線通信式に構成され、リセット処理部Ｆを構成する電源回路４１が、有線としての信号線４２にて通信されてくるリセット指令にて作動するように構成されている。
【０１５７】
尚、この第３実施形態におけるコンロ制御部Ｈの制御作動や換気制御部２２の制御作動は、第１実施形態と同様であるので、その説明を省略する。
【０１５８】
〔第４実施形態〕
次に、第４実施形態を説明するが、この第４実施形態は、ガスコンロＡからのリセット信号にて換気装置Ｄをリセットする構成の別実施形態を例示するものであって、ガスコンロＡの構成や換気装置Ｄの構成は、第１実施形態と同様に構成されるものであるため、以下の説明においては、第１実施形態と異なる部分についてのみ説明する。
【０１５９】
図２０に示すように、換気装置Ｄが備えるリセット処理部Ｆが、作動用信号の入力により、換気制御部２２のリセット用入力端子Ｅにリセット信号を出力するリセット信号出力回路４３にて構成されている。
このリセット信号出力回路４３は、ベース電圧が設定値以上になると同通するトランジスタ４３Ａを備えて、そのトランジスタ４３Ａのベースに作動用信号としての電圧が印加されると、リセット用入力端子Ｅに印加する電圧が高電位から低電位に変化することになり、この高電位から低電位への変化が、リセット信号として機能して、換気制御部２２をリセットするように構成されている。
尚、図中、４４Ａ、４4Ｂは、出力調整用の抵抗である。
【０１６０】
そして、ガスコンロＡに備えさせるコンロ制御部Ｈが、リセット指令を指令するときには、リセット回路Ｑに対して、送信指令（例えば、１５ｍｓのハイ信号）を指令するように構成されている。
リセット回路Ｑは、リセット信号出力回路４３に対して信号線４５にて接続され、そして、コンロ制御部Ｈからの送信指令に基づいて、リセット信号出力回路４３を作動させる作動用信号としての電圧を、設定時間（例えば、１５ｍｓ）の間に亘って信号線４５に出力するように構成されている。
【０１６１】
このように、この第４実施形態においては、ガスコンロ側から信号線４５を用いてリセット信号出力回路４３を作動させる作動用信号が、リセット指令用の出力信号として、換気装置側に送信され、換気装置Ｄが備えるリセット信号出力回路４３が、気制御部２２のリセット用入力端子Ｅにリセット信号に供給することにより、換気制御部２２をリセットするようになっている。
つまり、この第４実施形態においては、ガスコンロ側や換気装置側に装備する通信処理部１８、２６が無線通信式に構成され、リセット処理部Ｆを構成するリセット信号出力回路４３が、有線としての信号線４５にて通信されてくるリセット指令にて作動するように構成されている。
【０１６２】
〔別実施形態〕
以下、別実施形態を列記する。
（１）上記実施形態では、コンロ側と換気装置側の間の通信が赤外線を用いて無線通信により行われる場合を例示したが、電波や音波を用いた無線通信を行わせるようにしてもよく、また、信号線を用いた有線通信を行わせるようにしてもよい。
【０１６３】
（２）上記実施形態では、換気装置として、レンジフードに収納される換気ファンを備えるものと例示したが、換気装置として、レンジフードを備えない換気扇を用いて実施してもよい。
【０１６４】
（３）上記実施形態では、換気装置の実換気出力（実換気風量）を、換気ファンを駆動する電動モータの回転速度から求める場合を例示したが、換気ファンの仕事量から送風量を検出する構成や、風量センサ等によって直接送風量を検出する構成を用いて、実換気出力を検出するようにしてもよい。
【０１６５】
（４）上記実施形態では、換気を必要とする運転処理を実行する外部機器として、ガスコンロを例示したが、ガスコンロに限らず、電気式のコンロや、ガス燃焼式の湯沸かし器等の、換気が必要とする運転処理を実行する機器に対して、本発明は適用できる。
尚、電気式のコンロの場合において換気装置を作動させるのは、燃焼排ガスによる室内汚染を解消する目的ではなく、調理物からの煙、たとえば油煙による汚染を防ぐことを目的とするものである。
【０１６６】
（５）上記実施形態では、換気開始指令と目標換気風量とを各別に送信する場合を例示したが、目標換気風量を指令することにより、換気開始指令と目標換気風量とが指令されたものとする形態で実施してもよい。
この場合には、目標換気風量が指令されると、先ず、そのことを受信したことを示す応答情報を送信し、その後、設定時間が経過したのちに、実換気風量を示す情報を送信するように構成することになる。
【０１６７】
（６）上記実施形態では、換気装置が、換気風量を変更する場合を例示したが、一定の換気風量にて作動する換気装置を備えさせる形態で実施してもよい。
この場合には、外部機器側からは換気装置に対して、換気開始指令や換気停止指令を指令すればよく、目標換気風量の指令は省略できる。
【０１６８】
（７）上記実施形態では、外部機器が、換気装置側からの応答情報が設定適正状態でないときには、リセット指令を２回指令する場合を例示したが、リセット指令を指令する回数は、１回や３回以上に設定してもよい。
【符号の説明】
【０１６９】
２０    換気作動部
２２    換気制御部
２６    通信処理部
２７    換気出力検出手段
４１    有線式受信部
４３    有線式受信部
Ａ      外部機器
Ｅ      リセット用入力端子
Ｆ      リセット処理部
【図１】
0005555033.tif 000002
【図２】
0005555033.tif 000003
【図３】
0005555033.tif 000004
【図４】
0005555033.tif 000005
【図５】
0005555033.tif 000006
【図６】
0005555033.tif 000007
【図７】
0005555033.tif 000008
【図８】
0005555033.tif 000009
【図９】
0005555033.tif 000010
【図１０】
0005555033.tif 000011
【図１１】
0005555033.tif 000012
【図１２】
0005555033.tif 000013
【図１３】
0005555033.tif 000014
【図１４】
0005555033.tif 000015
【図１５】
0005555033.tif 000016
【図１６】
0005555033.tif 000017
【図１７】
0005555033.tif 000018
【図１８】
0005555033.tif 000019
【図１９】
0005555033.tif 000020
【図２０】
0005555033.tif 000021